(57)【要約】【課題】バッグ、カバン、あるいは冷蔵庫の中で空間的に収まりがよく、さらには複数が安定して収納できるブック型ペットボトルを提供する。【解決手段】四角形状の両側面３を持つ直方体形状を有し、端面５に注ぎ口７とキャップ９が設けられるブック型ペットボトル８とする。側面６は、事務用紙サイズＡ４又はＢ５の大きさとし、前記両側面３には凹凸１１が形成される。各凹凸１１は、ペットボトル１を側面３を重ねて積み上げたときに互いに嵌合する形状を有し、側面３の全体に形成された波型凹凸１１、あるいは側面３の大きさよりも小さな四角形状を有する凹凸などである。【選択図】図１
2004175422.tif 000002
【特許請求の範囲】
【請求項１】
四角形状の両側面を持つ略直方体形状を有し、これら両側面に隣接する４つの端面に注ぎ口とキャップが設けられ、前記両側面は、事務用紙サイズＡ４、Ｂ５、又はＡ５の大きさ、あるいはこれらの大きさよりも小さな大きさと四角形状を有することを特徴とするブック型ペットボトル。
【請求項２】
前記両側面には凹凸が形成され、これら各凹凸は、ブック型ペットボトルを側面を重ねて積み上げたときに互いに嵌合する形状を有することを特徴とする請求項１に記載のブック型ペットボトル。
【請求項３】
前記凹凸は、前記側面の全体に形成され、この側面の短辺に平行な、あるいは長辺に平行な波型の凹凸であることを特徴とする請求項２に記載のブック型ペットボトル。
【請求項４】
前記凹凸は、前記側面の大きさよりも小さな四角形状を有する凹凸であることを特徴とする請求項２に記載のブック型ペットボトル。
【発明の詳細な説明】
【０００１】
【発明の属する技術分野】
この発明は、ペットボトルの形状構造に関する。
【０００２】
【従来の技術】
従来のペットボトルは、周知のように略円筒形状のビン型のものであり、円筒形状の上端に注ぎ口とキャップが設けられる。大きさは何種類かのものが用意されるが、形状は類似するものであった。
このようなペットボトルは、国民生活に深く馴染んだものとなっており、学生などはたとえばブック（書籍）が入れられるバッグの中に水筒の代わりとして入れる。家庭においては、冷蔵庫の中に複数のものが収められるのは、日常的な風景である。
【０００３】
【発明が解決しようとする課題】
しかしながら、バッグやカバンの中にブックの隣に水筒の代わりとして入れたビン型のペットボトルは、収まりが悪く、ビン型の形状の周囲に無駄な空間を形成してしまい、バッグを大きく膨らましてしまう。家庭においては、冷蔵庫の中の空間を無駄に占領し、さらには、複数のものを横置きにしようとすると収まりが悪く、転がって不安定になってしまう。
【０００４】
この発明は、以上の課題を解決するためになされたもので、バッグ、カバン、あるいは冷蔵庫の中で空間的に収まりがよく、さらには複数が安定して収納できるブック型ペットボトルを提供することを目的とする。
【０００５】
【課題を解決するための手段】
本発明は上記目的を達成するため、第一の発明は、四角形状の両側面を持つ略直方体形状を有し、これら両側面に隣接する４つの端面に注ぎ口とキャップが設けられ、前記両側面は、事務用紙サイズＡ４、Ｂ５、又はＡ５の大きさ、あるいはこれらの大きさよりも小さな大きさと四角形状を有することを特徴とするブック型ペットボトルである。
第二の発明は、さらに、前記両側面には凹凸が形成され、これら各凹凸は、ブック型ペットボトルを側面を重ねて積み上げたときに互いに嵌合する形状を有することを特徴とするブック型ペットボトルである。
第三の発明は、さらに、前記凹凸は、前記側面の全体に形成され、この側面の短辺に平行な、あるいは長辺に平行な波型の凹凸であることを特徴とするブック型ペットボトルである。
第四の発明は、さらに、前記凹凸は、前記側面の大きさよりも小さな四角形状を有する凹凸であることを特徴とするブック型ペットボトルである。
【０００６】
【発明の実施の形態】
この発明の実施の一形態を、図１に示す。
この実施形態に係るブック型ペットボトル１は、四角形状の両側面３を持つ直方体形状を有する。この両側面３は、具体的なサイズが１７０ｍｍと１００ｍｍで、事務用紙サイズＡ５の大きさよりも一回り小さい。そして、両側面に隣接する４つの端面のうち、短辺側の端面５には、注ぎ口７とキャップ９が設けられる。この端面５の厚さは、キャップ９の径に応じた３０ｍｍである。よって、このブック型ペットボトル１の容積は、ほぼ５００ｃｃとなる。
【０００７】
また、両側面３には波型の凹凸１１がなだらかに形成され、これら各凹凸１１は、ブック型ペットボトルを側面を重ねて積み上げたときに互いに嵌合する。この波型は、側面３の長辺に沿って進行する約波長分の波型で、側面３の短辺１３に沿って平行な形状になる。
【０００８】
（実施形態の作用効果）
この実施形態のブック型ペットボトル１によれば、全体が略直方体形状により、バッグ、カバン、あるいは冷蔵庫の中で空間的に収まりがよい。特に、バッグやカバンの中などでは、ブック（書籍）の隣に無駄な空間を作らずに収まる。また、ブックを立てて並べて机の上などにおいたときに、そのブックの間に、ブック型ペットボトル１をまるでブックの１種のように並べて置いておくこともでき、置き場所を取らない。
また、このブック型ペットボトル１を側面３を重ねて積み上げたときに、各凹凸１１が互いに嵌合するので、滑ったり、ずれたりせずに安定した収納ができる。さらに、このブック型ペットボトル１を手で扱う際の滑り止めにもなり、扱いやすい。
【０００９】
（他の実施形態）
以上の実施形態では、波型の凹凸１１はなだらかな約２波長分の長さであったが、他の実施形態では、図１（Ｃ）に示すように急な多数波長の波型でもよい。このような波型も、ブック型ペットボトル１を側面３を重ねて積み上げたときに互いに嵌合する形状にある。つまり波の山谷の境部で、波の傾斜が９０度より小さい。
【００１０】
また、以上の実施形態では、凹凸１１は波型であったが、他の実施形態では波型以外の凹凸１１でもよい。たとえば、図２（Ａ）（Ｂ）に示すように、側面３の大きさよりも小さな四角形状を有する薄い直方体形状を有する凹凸１１であってもよい。このような波型も、重ねて積み上げたときに互いに嵌合する形状になるように、凹凸１１の縁部１５を傾斜させる。
【００１１】
また、凹凸１１は、以上の実施形態以外にも種種のものが実施可能であり、部分的なものでもかまわない。
以上の実施形態では、前記両側面は、事務用紙サイズＡ５よりも一回り小さく、容積は５００ｃｃとしたが、他の実施形態では、両側面はＡ４、Ｂ５の大きさ、あるいはこれらの大きさよりも小さな大きさとすることができる。
【００１２】
【発明の効果】
以上説明したように、以上の課題を解決するために、第一から第四の発明のうちいずれかによれば、直方体形状により、バッグ、カバン、あるいは冷蔵庫の中で空間的に収まりがよい。特に、バッグやカバンの中にブック（書籍）の隣に無駄な空間を作らずに収まる。
【００１３】
第二から第四の発明のうちいずれかによれば、さらに、各凹凸が、ブック型ペットボトルを側面を重ねて積み上げたときに互いに嵌合するので、安定した収納ができる。
第三の発明によれば、さらに、ブック型ペットボトルを手で扱う際の滑り止めにもなり、扱いやすい。
第四の発明によれば、さらに、凹凸の形成が容易で、ブック型ペットボトルの製造コストを抑えられる。
【図面の簡単な説明】
【図１】（Ａ）は、この発明の一実施形態を示す斜視図
（Ｂ）は、（Ａ）の左方から見た側面図
（Ｃ）は、（Ｂ）の他の変形例を示す側面図である。
【図２】（Ａ）は、この発明の他の実施形態を示す斜視図
（Ｂ）は、（Ａ）の左方から見た側面図である。
【符号の説明】
１  ブック型ペットボトル、
３  側面、
５  端面
７  注ぎ口
９  キャップ
１１  凹凸
１３  短辺
１５  縁部
【図１】
2004175422.tif 000003
【図２】
2004175422.tif 000004